(57)【要約】【課題】  前扉の開閉状態に拘わらず内パネルボックスの荷重を常に安定的に保持して枢着部の負担を軽くし、かつ前扉の規定角度の開放揺動位置に対して、内パネルボックスをこの規定角度内の任意の開放揺動位置に保持することができる物品収納内パネルボックス付き前扉を備えた引出し構造を提供すること提供すること。【解決手段】  引出し本体の前面枠板１ａに、第１の枢着部１４ｂ，１６ａを支点として手前に揺動運動によって開く前扉２と、この前扉２の内側に第２枢着部１２ｂ、１５を支点として前扉２の揺動運動と共に手前に揺動する内パネルボックス１２を設け、前扉２の下端枠部材１４のカム面１４ａの形状により、内パネルボックス１２の底面が前扉２に対し所定の開放揺動位置に保持される。【選択図】  図４
2005218583.tif 000002
【特許請求の範囲】
【請求項１】
引出しの前面部下方に設けた第１枢着部を介して手前に揺動開放される前扉と、同じく該前面部下方に設けた第２枢着部を介して手前に揺動開放される前記前扉の内側に配置されている内パネルボックスとを備えた引出し構造であって、前記第１枢着部は前記前扉の下端枠部材と前記引出し前面下方部材とで構成され、前記下端枠部材の頂面が前記内パネルボックスの底面を常時係合支持し、前記前扉の規定角度の開放停止位置に対して、前記頂面と底面の係合位置の選定により、前記内パネルボックスを前記規定角度内の任意の開放停止位置に保持することを特徴とする物品収納内パネルボックス付き前扉を備えた引出し構造。
【請求項２】
前記頂面と底面の係合は一方が凹状で他方が凸状に形成されている請求項１に記載の物品収納内パネルボックス付き前扉を備えた引出し構造。
【請求項３】
前記下端枠部材は、その後面に第１枢着部を構成する係止部が、前面に前扉下端嵌合用溝が一体形成されている請求項１または２に記載の物品収納内パネルボックス付き前扉を備えた引出し構造。
【請求項４】
前記第２枢着部は、引出しの前面部下方に配した断面略楕円状の支持棒と、前記内パネルボックスの底面に形成した前記支持棒を把持する断面Ｃ字形の枢支部とで構成されている請求項１ないし３のいずれかに記載の物品収納内パネルボックス付き前扉を備えた引出し構造。
【請求項５】
前記前扉の規定角度の開放停止位置は、該前扉と引出し本体とに掛け渡された揺動リンク部材により設定される請求項１ないし４のいずれかに記載の物品収納内パネルボックス付き前扉を備えた引出し構造。
【請求項６】
前記前扉の規定角度の開放停止位置は、前記下端枠部材の底部に形成した後方延出部により設定される請求項１ないし４のいずれかに記載の物品収納内パネルボックス付き前扉を備えた引出し構造。
【発明の詳細な説明】
【技術分野】
【０００１】
本発明は、引出しの前面部下方に設けた第１枢着部を介して手前に揺動開放される前扉と、同じく該前面部下方に設けた第２枢着部を介して手前に揺動開放される前記前扉の内側に配置されている内パネルボックスとを備えた引出し構造に関する。
【背景技術】
【０００２】
例えば図７に示されるように、調理等が行える流し台の前面に前扉０１が設けられており、前扉０１の内側に包丁などを収納可能な内パネルボックス０４が設けられている。内パネルボックス０４は、前扉０１の開扉動作に同期して上方斜め前方に開口するように配置されている。内パネルボックス０４のＵ字状に形成された底面には、断面円形の突条０６が長手方向に突設されている。流し台の図示しないシンク前面の幕板０２に取付けられた取付板０５の下部には、前面に突設するＣ字形断面の突条０８が形成されており、この突条０８に前記突条０６が嵌合されることで第２枢着部を構成し、内パネルボックス０４が揺動可能に取付板に支持されている。
【０００３】
そして、取付板０５の下部より前方に突設した板状の突条下端部０１２の円形断面部には、前扉０１の下端に設けられたＣ字形断面の突条０１４が嵌合されることで、第１枢着部を構成し、突条下端部０１２を中心として取付板０５に対して揺動自在に支持されている。
【０００４】
そこで前扉０１を手前に開放すると、揺動リンク０１５により制限されて所定角度まで開放されるが、同時にその内部に配置された内パネルボックス０４も開放される。しかも、前扉０１の回動中にボックス０４のＵ字状の底面がＣ字形断面の突条０１４の外周に当接することで、所定の位置で開放角度が制限される構成になっており、この開放角度はボックス０４の上部から包丁などの収納を行い易い角度に調整されている（特許文献１参照）。
【０００５】
【特許文献１】実用新案登録第３０７０７４７号公報（図５，６）
【発明の開示】
【発明が解決しようとする課題】
【０００６】
しかしながら、上述した従来の引出し構造のものは、前扉０１を閉じたときは、内パネルボックス０４は突条０８に嵌合しているだけなので、内パネルボックス０４の荷重が第２枢着部に直接掛かりその負担が大きく、また、前扉０１を開いたときは、内パネルボックス０４の荷重が第１枢着部に衝突するので、枢着部の耐久性に問題があり、更に、内パネルボックス０４が前扉０１により開放された時、内パネルボックス０４のＵ字状底面が突条０１４外周に当接することでその開放位置が決まり、その開放位置は前扉０１の開放角度の略半分程度でその角度を任意に変えることができるものではなかった。
【０００７】
本発明は、このような問題点に着目してなされたもので、前扉の開閉状態に拘わらず内パネルボックスの荷重を常に安定的に保持して枢着部の負担を軽くし、かつ前扉の規定角度の開放揺動位置に対して、内パネルボックスをこの規定角度内の任意の開放揺動位置に保持することができる物品収納内パネルボックス付き前扉を備えた引出し構造を提供することを目的とする。
【課題を解決するための手段】
【０００８】
上記課題を解決するために、本発明の請求項１に記載の物品収納内パネルボックス付き前扉を備えた引出し構造は、引出しの前面部下方に設けた第１枢着部を介して手前に揺動開放される前扉と、同じく該前面部下方に設けた第２枢着部を介して手前に揺動開放される前記前扉の内側に配置されている内パネルボックスとを備えた引出し構造であって、前記第１枢着部は前記前扉の下端枠部材と前記引出し前面下方部材とで構成され、前記下端枠部材の頂面が前記内パネルボックスの底面を常時係合支持し、前記前扉の規定角度の開放揺動位置に対して、前記頂面と底面の係合位置の選定により、前記内パネルボックスを前記規定角度内の任意の開放揺動位置に保持することを特徴としている。
この特徴によれば、前扉の開閉状態に拘わらず内パネルボックスを常時２つの枢着部で係合保持するので枢着部の負担が半減し、しかも前扉の規定角度の開放揺動位置に対して前扉の下端枠部材の頂面と内パネルボックスの底面との係合位置を変えることで、内パネルボックスを任意の開放揺動位置で保持することができるので、内パネルボックス内に収納されるものに応じて取り出しやすい内パネルボックスの開放揺動位置が決められる。
【０００９】
本発明の請求項２に記載の物品収納内パネルボックス付き前扉を備えた引出し構造は、請求項１に記載の物品収納内パネルボックス付き前扉を備えた引出し構造であって、前記頂面と底面の係合は一方が凹状で他方が凸状に形成されていることを特徴としている。
この特徴によれば、係合部が凹凸形状していることにより、前扉の開閉工程中、内パネルボックスの底面が下端枠部材の頂面上で円滑に移動することができる。
【００１０】
本発明の請求項３に記載の物品収納内パネルボックス付き前扉を備えた引出し構造は、請求項１または２に記載の物品収納内パネルボックス付き前扉を備えた引出し構造であって、前記下端枠部材は、その後面に第１枢着部を構成する係止部が、前面に前扉下端嵌合用溝が一体形成されていることを特徴としている。
この特徴によれば、下端枠部材に各種機能を集約させているので、多くの部品を用いなくて済み、前扉下部をコンパクトに構成できる。
【００１１】
本発明の請求項４に記載の物品収納内パネルボックス付き前扉を備えた引出し構造は、請求項１ないし３のいずれかに記載の物品収納内パネルボックス付き前扉を備えた引出し構造であって、前記第２枢着部は、引出しの前面部下方に配した断面略楕円状の支持棒と、前記内パネルボックスの底面に形成した前記支持棒を把持する断面Ｃ字形の枢支部とで構成されていることを特徴としている。
この特徴によれば、断面Ｃ字形の枢支部を楕円の長軸側から挿入することで、内パネルボックスを支持棒に容易にはめこむことができる。特に、内パネルボックスの開放停止位置における傾きと平行するように楕円の長軸方向を傾けて取り付けると、枢支部が係止軸に対して挿脱し易い嵌合関係となり、内パネルボックスを水洗い等を行う場合に、その取り出し再装着の作業が楽に行える。
【００１２】
本発明の請求項５に記載の物品収納内パネルボックス付き前扉を備えた引出し構造は、請求項１ないし４のいずれかに記載の物品収納内パネルボックス付き前扉を備えた引出し構造であって、前記前扉の規定角度の開放揺動位置は、該前扉と引出し本体とに掛け渡された揺動リンク部材により設定されることを特徴としている。
この特徴によれば、揺動リンク部材によって前扉の規定角度の開放揺動位置を確実に決めることができ、かつ前扉にかかる荷重を揺動リンク部材を介して分散支持させることができる。
【００１３】
本発明の請求項６に記載の物品収納内パネルボックス付き前扉を備えた引出し構造は、請求項１ないし４のいずれかに記載の物品収納内パネルボックス付き前扉を備えた引出し構造であって、前記前扉の規定角度の開放揺動位置は、前記下端枠部材の底部に形成した後方延出部により設定されることを特徴としている。
この特徴によれば、下端枠部材の後方延出部によって前扉の規定角度の開放揺動位置を確実に決めることができ、かつ前扉にかかる荷重は揺動リンク部材を介して分散支持させることができる。
【発明を実施するための最良の形態】
【００１４】
本発明の実施例を以下に説明する。
【実施例１】
【００１５】
以下、本発明の前扉を備えた引出し構造について、図１〜図４を参照して説明する。図１は本発明の前扉を備えた引出し構造が採用された引出しの斜視図であり、（ａ）は前扉が開放状態の引出しの斜視図、（ｂ）前扉が閉止状態の引出しの斜視図、図２は前扉を備えた引出し構造の部分断面図、図３は図２のＡ部拡大部分断面図であり、図４は前扉と共に内パネルボックスが手前に揺動した状態を示す図２のＡ部拡大部分断面図である。
【００１６】
図１において、例えばシステムキッチン等の流し台の一部に使用されている引出し本体１の前面部には揺動運動によって手前に開くように前扉２の下端が枢着されている。
【００１７】
引出し本体１の前面部を構成する前面枠板１ａの前面には、図１（ｂ）に示すように、前扉２の閉止状態の時に、前扉２で覆われるような収容凹部４が形成されており、前扉２の裏面には前記収容凹部４内に臨むように、詳細は後述するが例えば包丁等を収納する内パネルボックス１２（図２，３参照）が内側に配設された構造となっている。
【００１８】
図２に示すように、前面枠板１ａの上端には庇状に形成された横長の取っ手６が前面に突設すると共に、この取っ手６の下方には、閉止状態の時に前扉２の開放を阻止するロック機構１０が装着されおり、取っ手６の下面には閉止状態の前扉２上端部との間で操作空間８が形成されるようになっている。
【００１９】
更に詳しくは、図３に示すように、前面枠板１ａの下端には前方に突出する前面下方部材として構成した突条１６が形成され、この突条１６の先端には前扉２の枢支部となる断面円弧状の係止突部１６ａが形成されている。また、同じく前面枠板１ａ下端の両内壁には、内パネルボックス１２の下端を揺動可能に枢支する断面円形の係止軸１５が横設されている。
【００２０】
一方、前扉２の下端には横長の下端枠部材１４が幅方向に設けられ、この下端枠部材１４の頂面には凸状のカム面１４ａが形成されると共に、この下端枠部材１４の後面には係止突部１６ａと揺動可能に枢支する嵌合凹部１４ｂが形成され、係止突部１６ａと嵌合凹部１４ｂとで第１の枢着部を構成している。更に下端枠部材１４の前面には前扉２のパネル板１８下端を嵌合保持する上向きの前扉下端係合溝１４ｃが形成されている。
【００２１】
また、内パネルボックス１２は、後方に立上げ部１２ａが折曲形成されて断面コ字形に形成されて、その内部は包丁等を収納する収納ケース等（不図示）を保持する収納部２０として構成されている。この収納ケースは、図８に示した従来の引出し構造に用いられたＵ字状に形成された底面を有する内パネルボックス０４とほぼ同じ形状をしており、この収納ケースが図３，４に示す内パネルボックス１２の収納部２０に配置されるようになっている。
【００２２】
収納ケースの上端の高さは、前扉２の上端の高さよりも低くなるように形成されており、例えば、この収納ケースに包丁を収納する場合、包丁の柄の部分を収納ケースから露出させて収納できるようになっている。そのため、前扉２の閉止状態の時には、包丁全体を収容凹部４内に収納できるとともに、前扉２の開放状態の時には、包丁の柄の部分のみを露出させることができるので、包丁が取り出し易くなっている。しかし、内パネルボックス１２単なる収納ボックスとして使用する場合には、収納ケースを取り付けずに内パネルボックス１２を物品収納用に背を高くして、物品を収納できるように改造することもある。
【００２３】
更に、内パネルボックス１２の底面には、上記下端枠部材１４の頂面の凸状カム面１４ａに当接並びに係合可能な凹状のカム面１２ａ’が形成されると共に、その後方の底面には係止軸１５に嵌合可能な断面Ｃ字形の枢支部１２ｂが形成され、係止軸１５と枢支部１２ｂとで第２の枢着部を構成している。
【００２４】
次に前扉２と内パネルボックス１２の作用に付き図１，３及び図４を参照して説明する。
【００２５】
先ず、前面枠板１ａ上端の庇状に形成された横長の取っ手６の下方と前扉２上端部とで形成される操作空間８に指を差し入れてロック機構１０を押し込むことにより、ロック機構１０が解除されると前扉２は、図１（ａ）に示す一対の揺動リンク９によって前方に傾動させることができ、規定角度の開放停止位置で停止して前扉２の揺動開放角が設定される。この揺動開放角は当然ではあるが揺動リンク９の長さにより任意に調整できる。
【００２６】
詳しくは、前扉２は、前面枠板１ａ下端の第１枢着部を構成する係止突部１６ａを支点として前方へ揺動開放して予め設定された所定の開放角度まで揺動したとき、一対の揺動リンク９の伸張によってその状態で揺動が阻止され、開放状態における前扉２の開き過ぎを防止できる。
【００２７】
また、この揺動開放角の設定手段として、揺動リンク９に代えて下端枠部材１４の後方延設部１４ｄを利用することもできる。図４から分かるように、前扉２は前方に傾動していくと下端枠部材１４の後方延設部１４ｄは、前面枠板１ａの下端より前方に突出する突条１６の下面に当接し、第１枢着部による前扉２の揺動運動が阻止される。したがって、後方延設部１４ｄと突条１６との当接位置を選定することで、前扉２の開放停止位置を決めることができる。また、この後方延設部１４ｄを揺動リンク９と併用した場合、揺動リンク９を前扉２の揺動開放角の設定手段とし、後方延設部１４ｄは揺動リンク９が故障等で外れたときの停止機能として作用させることができる。
【００２８】
前扉２の閉止状態において、内パネルボックス１２は、図３に示すように該内パネルボックス１２の底面後方の第２枢着部を構成する断面Ｃ字形の枢支部１２ｂに嵌合している係止軸１５を支点として揺動可能に枢支されると共に、前記内パネルボックス１２の底面の凹状カム面１２ａ’が、下端枠部材１４の頂面の凸状カム面１４ａに、常に当接状態で支持されて垂直状態で前扉２の裏面に支持されている。そのため、内パネルボックス１２の荷重を、第１枢着部である係止突部１６ａ及び嵌合凹部１４ｂと、第２枢着部である係止軸１５及び枢支部１２ｂとで分散して支えることができるようになっている。
【００２９】
この状態から、前扉２を前方に揺動開放させると、図４に示すように、下端枠部材１４も同時に前扉２とともに傾動する。従って、内パネルボックス１２は、第２枢着部の係止軸１５を支点として前方に揺動するが、この内パネルボックス１２の底面の凹状カム面１２ａ’を常に支持している下端枠部材１４の頂面の凸状カム面１４ａも変位し、前扉２の傾動が停止すると内パネルボックス１２の前方への傾動も阻止され、予め設定された揺動開放角度に位置決めされる。
【００３０】
下端枠部材１４の頂面である凸状カム面１４ａの凸形状と、内パネルボックス１２の底面の凹状カム面１２ａ’凹形状との凹凸形状によって凹凸係合部が構成されており、下端枠部材１４の頂面と内パネルボックス１２の底面が、前扉２の開閉状態において常に係合されるようになっているので、内パネルボックス１２がぐらつくことなく支持されるとともに、内パネルボックス１２を正確な位置に安定した状態で保持することができる。
【００３１】
そして、内パネルボックス１２の揺動開放する開放停止位置は、凹凸形状のカム面１４ａ、１２ａ’によって設定され、カム面相互の形状を変えることにより、前扉の規定角度の開放停止位置に対して、内パネルボックス１２を任意の開放停止位置に保持することができる。この内パネルボックス１２の開放停止位置の設定に際しては、内パネルボックス１２内に収納されている対象物、（例えば、包丁等）を考慮して、容易に取り出し易い角度に保持されるよう設計する。
【００３２】
次に、前扉２を再び閉止状態にする時には、前扉２の上端を前面枠板１ａに向けて第１枢着部を介して揺動させることで、前扉２と共に下端枠部材１４が揺動して内パネルボックス１２の底面に係合している下端枠部材１４の凸状カム面１４ａが凹状カム面１２ａ’を押上げ、内パネルボックス１２の荷重を凸状カム面１４ａが支えながら、内パネルボックス１２も係止軸１５を支点として前扉２の閉じる揺動動作とともに図３に示す状態に閉塞される。
【００３３】
下端枠部材１４は、その後面に第１枢着部を構成する嵌合凹部１４ｂ（相手が凹部の場合は嵌合突部）が形成されて、前扉２を揺動可能に枢支する機能を与え、また、前面に前扉下端係合溝１４ｃを形成して前扉２と嵌合することで、前扉２の補強と装飾機能を与え、更に頂面は内パネルボックス１２の底面を支持する凸状カム面１４ａによって揺動開放を制限する機能を与えており、一つの部品で多くの機能を集約させることで、前扉下部をコンパクトな構成にまとめ上げることができる。
【００３４】
本実施例１の引出し構造によれば、前扉２が閉止状態から開放状態に至るまで、常に下端枠部材１４の頂面が、内パネルボックス１２の底面を支持することで、前扉２の閉止状態においても第２枢着部である係止軸１５と枢支部１２ｂのみに全荷重が作用せず、第１枢着部である係止突部１６ａ及び嵌合凹部１４ｂと、第２枢着部の係止軸１５及び枢支部１２ｂとで分散して支えることができるので、第２枢着部の係止軸１５及び枢支部１２ｂが長年の使用によって破損することを防ぐことができる。
【実施例２】
【００３５】
図５は内パネルボックスの底面を下端枠部材の凹状カム面で係合支持させた実施例２に係る前扉を備えた引出し構造の下部の部分断面図であって、下端枠部材２４の頂面には凹状カム面２４ａが、内パネルボックス２２の底面には凸状カム面２２ａが形成され、実施例１と同様に、下端枠部材２４の頂面と内パネルボックス２２の底面が、前扉２の開閉状態において常に係合され、かつカム面の相互の形状を変えることにより、前扉２の規定角度の開放停止位置に対して、内パネルボックス２２を任意の開放停止位置に保持することができる。
【実施例３】
【００３６】
図６は本発明の実施例３に係る前扉を備えた引出し構造の第２枢着部の要部断面図であり、（ａ）は内パネルボックスが開放停止位置にあり、（ｂ）は前扉が閉鎖され、内パネルボックスが垂直に立設した位置にある状態を示す。実施例１の第２枢着部は、前面枠板１ａ下端の両内壁に設けた係止軸１５が断面円形であるのに対して、実施例３に係る第２枢着部は、係止軸３５を断面略楕円形状にした点で異なっている。
【００３７】
内パネルボックス１２の下端には実施例１と同様の断面Ｃ字形の枢支部１２ｂが形成されており、係止軸３５は前面枠板１ａ下端の両内壁に横設されている。この係止軸３５の楕円の長軸方向の向きＸ−Ｘは、内パネルボックス１２の所定の開放停止位置における傾きＡと平行するように取り付けられている。これにより内パネルボックス１２を開放したときに、断面Ｃ字形の枢支部１２ｂの開口１２ｃが係止軸３５に対して挿脱し易い嵌合関係となり、内パネルボックス１２を水洗い等を行う場合に、その取り出し再装着の作業が楽に行える。また前扉２を閉鎖して、内パネルボックス１２が垂直に立設した場合には、枢支部１２ｂが係止軸３５の上下端ｏ，ｐと係合しぐらつきが阻止できる。
【００３８】
以上、本発明の実施例を図面により説明してきたが、具体的な構成はこれら実施例に限られるものではなく、下端枠部材の頂面と内パネルボックスの底面と係合は凹凸状でなく、単純な平面同士の係合（例えば、内パネルボックスの底面を平坦面とし、下端枠部材の頂面側を多角形状にして平面同士で係合したもの）であっても、前扉が回動停止したときに、内パネルボックスが回動停止できるように構成されていればよい。
【図面の簡単な説明】
【００３９】
【図１】本発明の前扉を備えた引出し構造が採用された引出しの斜視図であり、（ａ）は前扉が開放状態の引出しの斜視図、（ｂ）前扉が閉止状態の引出しの斜視図である。
【図２】前扉を備えた引出し構造の部分断面図である。
【図３】図２のＡ部拡大部分断面図である。
【図４】前扉と共にパネル板が手前に揺動した状態を示す図２のＡ部拡大部分断面図である。
【図５】内パネルボックスの底面を下端枠部材の凹状カム面で係合支持させた実施例２に係る前扉を備えた引出し構造の下部の部分断面図
【図６】本発明の実施例３に係る前扉を備えた引出し構造の第２枢着部の要部断面図であり、（ａ）は内パネルボックスが開放停止位置にあり、（ｂ）は前扉が閉鎖され、内パネルボックスが垂直に立設した位置にある状態を示す。
【図７】従来の前扉を備えた引出し構造であって、前扉と共にパネル板が手前に揺動した状態を示す断面図である。
【符号の説明】
【００４０】
１                引出し本体
１ａ              前面枠板
２                前扉
４                収容凹部
６                取っ手
８                操作空間
９                揺動リンク
１０              ロック機構
１２              内パネルボックス
１２ａ            立上げ部
１２ａ’          凹状カム面
１２ｂ            枢支部
１２ｃ            開口
１４              下端枠部材
１４ａ            凸状カム面
１４ｂ            嵌合凹部
１４ｃ            前扉下端係合溝
１４ｄ            後方延出部
１５              係止軸
１６              突条（前面下方部材）
１６ａ            係止突部
１８              パネル板
２０              収納部
２２              内パネルボックス
２２ａ            凸状カム面
２４              下端枠部材
２４ａ            凹状カム面
３５              係止軸
Ｏ                上端
Ｐ                下端
【図１】
2005218583.tif 000003
【図２】
2005218583.tif 000004
【図３】
2005218583.tif 000005
【図４】
2005218583.tif 000006
【図５】
2005218583.tif 000007
【図６】
2005218583.tif 000008
【図７】
2005218583.tif 000009